(57)【特許請求の範囲】
【請求項１】
映像データを取得する取得手段と、
前記取得手段により取得された前記映像データから、ユーザが選択したプログラムの映像データを抽出する抽出手段と、
前記取得手段により取得された前記映像データの変調方式および符号化率を、ＴＭＣＣ情報中の伝送モード／スロット情報から検出する第１の検出手段と、
前記取得手段により取得された前記映像データの伝送誤りを検出する第２の検出手段と、
前記変調方式、前記符号化率および前記伝送誤りの組み合わせと信号処理パラメータとの対応表を記憶する記憶手段と、
前記第１の検出手段により検出された前記変調方式および前記符号化率、並びに前記第２の検出手段により検出された前記伝送誤りの組み合わせに対応する前記信号処理パラメータとしてのシャープネス、ノイズリダクション、速度変調、エンハンス処理、および走査構造のうちの少なくとも１つを、前記記憶手段に記憶されている前記対応表から読み出し、設定する設定手段と
を備えることを特徴とする映像処理装置。
【請求項２】
前記取得手段は、前記映像データとして、トランスポートストリームを取得し、
前記抽出手段は、前記トランスポートストリームから、ユーザが選択した前記プログラムの映像データを抽出し、
前記第２の検出手段は、ＩＦ信号の復調時、前記トランスポートストリームのデマルチプレクス時、または前記トランスポートストリームパケットの復号時に検出される伝送誤りを取得する
ことを特徴とする請求項１に記載の映像処理装置。
【請求項３】
前記設定手段は、ユーザからの入力に基づいて、前記信号処理パラメータを設定する
ことを特徴とする請求項１に記載の映像処理装置。
【請求項４】
映像データを取得する取得ステップと、
前記取得ステップの処理で取得された前記映像データから、ユーザが選択したプログラムの映像データを抽出する抽出ステップと、
前記取得ステップの処理で取得された前記映像データの変調方式および符号化率を、ＴＭＣＣ情報中の伝送モード／スロット情報から検出する第１の検出ステップと、
前記取得ステップの処理で取得された前記映像データの伝送誤りを検出する第２の検出ステップと、
前記変調方式、前記符号化率および前記伝送誤りの組み合わせと信号処理パラメータとの対応表を記憶する記憶ステップと、
前記第１の検出ステップの処理で検出された前記変調方式および前記符号化率、並びに前記第２の検出ステップの処理で検出された前記伝送誤りの組み合わせに対応する前記信号処理パラメータとしてのシャープネス、ノイズリダクション、速度変調、エンハンス処理、および走査構造のうちの少なくとも１つを、前記記憶ステップの処理で記憶されている前記対応表から読み出し、設定する設定ステップと
を含むことを特徴とする映像処理方法。
【請求項５】
映像データを取得する取得ステップと、
前記取得ステップの処理で取得された前記映像データから、ユーザが選択したプログラムの映像データを抽出する抽出ステップと、
前記取得ステップの処理で取得された前記映像データの変調方式および符号化率を、ＴＭＣＣ情報中の伝送モード／スロット情報から検出する第１の検出ステップと、
前記取得ステップの処理で取得された前記映像データの伝送誤りを検出する第２の検出ステップと、
前記変調方式、前記符号化率および前記伝送誤りの組み合わせと信号処理パラメータとの対応表を記憶する記憶ステップと、
前記第１の検出ステップの処理で検出された前記変調方式および前記符号化率、並びに前記第２の検出ステップの処理で検出された前記伝送誤りの組み合わせに対応する前記信号処理パラメータとしてのシャープネス、ノイズリダクション、速度変調、エンハンス処理、および走査構造のうちの少なくとも１つを、前記記憶ステップの処理で記憶されている前記対応表から読み出し、設設定する設定ステップと
を含むことを特徴とするコンピュータが読み取り可能なプログラムが記録されている記録媒体。
【発明の詳細な説明】
【０００１】
【発明の属する技術分野】
本発明は、映像処理装置および方法、並びに記録媒体に関し、特に、受信したテレビジョン放送の番組を、常に最適な画質で表示させることができるようにした映像処理装置および方法、並びに記録媒体に関する。
【０００２】
【従来の技術】
近年、本格的に開始されているデジタルテレビジョン放送においては、通常の動画像の他、静止画像や文字図形など、多種の画像からなるコンテンツが放送される。
【０００３】
【発明が解決しようとする課題】
ところで、従来のテレビジョン受像機においては、ユーザの好みに応じて、画質設定することができる機能が付加されているが、その設定は、ユーザが、表示されている映像を肉眼で確認しながら手動操作によって行うものである。すなわち、デジタルテレビジョン放送のように多種の映像が表示される場合、ユーザは、例えば、各コンテンツ毎に、自分自身でその画質を調整しなければならず、手間がかかる課題があった。
【０００４】
本発明はこのような状況に鑑みてなされたものであり、番組が最適な画質で表示されるように、画面表示を容易に設定することができるようにするものである。
【０００５】
【課題を解決するための手段】
本発明の映像処理装置は、所定のプログラムの映像データを取得する取得手段と、取得手段により取得された映像データから、ユーザが選択したプログラムの映像データを抽出する抽出手段と、取得手段により取得された映像データの変調方式および符号化率を、ＴＭＣＣ情報中の伝送モード／スロット情報から検出する第１の検出手段と、取得手段により取得された映像データの伝送誤りを検出する第２の検出手段と、変調方式、符号化率および伝送誤りの組み合わせと信号処理パラメータとの対応表を記憶する記憶手段と、第１の検出手段により検出された変調方式および符号化率、並びに第２の検出手段により検出された伝送誤りの組み合わせに対応する信号処理パラメータとしてのシャープネス、ノイズリダクション、速度変調、エンハンス処理、および走査構造のうちの少なくとも１つを、記憶手段に記憶されている対応表から読み出し、設定する設定手段とを備えることを特徴とする。
【０００６】
取得手段は、トランスポートストリームを取得し、抽出手段は、トランスポートストリームから、ユーザが選択したプログラムの映像データを抽出し、第２の検出手段は、ＩＦ信号の復調時、トランスポートストリームのデマルチプレクス時、またはトランスポートストリームパケットの復号時に検出される伝送誤りを取得することができる。
【０００８】
設定手段は、ユーザからの入力に基づいて、信号処理パラメータを設定することができる。
【０００９】
本発明の映像処理方法は、所定のプログラムの映像データを取得する取得ステップと、取得ステップの処理で取得された映像データから、ユーザが選択したプログラムの映像データを抽出する抽出ステップと、取得ステップの処理で取得された映像データの変調方式および符号化率を、ＴＭＣＣ情報中の伝送モード／スロット情報から検出する第１の検出ステップと、取得ステップの処理で取得された映像データの伝送誤りを検出する第２の検出ステップと、変調方式、符号化率および伝送誤りの組み合わせと信号処理パラメータとの対応表を記憶する記憶ステップと、第１の検出ステップの処理で検出された変調方式および符号化率、並びに第２の検出ステップの処理で検出された伝送誤りの組み合わせに対応する信号処理パラメータとしてのシャープネス、ノイズリダクション、速度変調、エンハンス処理、および走査構造のうちの少なくとも１つを、記憶ステップの処理で記憶されている対応表から読み出し、設定する設定ステップとを含むことを特徴とする。
【００１０】
本発明の記録媒体のプログラムは、所定のプログラムの映像データを取得する取得ステップと、取得ステップの処理で取得された映像データから、ユーザが選択したプログラムの映像データを抽出する抽出ステップと、取得ステップの処理で取得された映像データの変調方式および符号化率を、ＴＭＣＣ情報中の伝送モード／スロット情報から検出する第１の検出ステップと、取得ステップの処理で取得された映像データの伝送誤りを検出する第２の検出ステップと、変調方式、符号化率および伝送誤りの組み合わせと信号処理パラメータとの対応表を記憶する記憶ステップと、第１の検出ステップの処理で検出された変調方式および符号化率、並びに第２の検出ステップの処理で検出された伝送誤りの組み合わせに対応する信号処理パラメータとしてのシャープネス、ノイズリダクション、速度変調、エンハンス処理、および走査構造のうちの少なくとも１つを、記憶ステップの処理で記憶されている対応表から読み出し、設定する設定ステップとを含むことを特徴とする。
【００１１】
本発明の映像処理装置および方法、並びに記録媒体のプログラムにおいては、所定のプログラムの映像データが取得され、取得された映像データから、ユーザが選択したプログラムの映像データが抽出され、取得された映像データの変調方式および符号化率が、ＴＭＣＣ情報中の伝送モード／スロット情報から検出され、取得された映像データの伝送誤りが検出され、変調方式、符号化率および伝送誤りの組み合わせと信号処理パラメータとの対応表が記憶され、検出された変調方式および前記符号化率、並びに伝送誤りの組み合わせに対応する信号処理パラメータとしてのシャープネス、ノイズリダクション、速度変調、エンハンス処理、および走査構造のうちの少なくとも１つが、記憶されている対応表から読み出され、設定される。
【００１２】
【発明の実施の形態】
図１は、本発明を適用したテレビジョン受像機１の構成例を示している。
【００１３】
ＩＦデモジュレータ２は、図示せぬアンテナにより受信されたデジタル放送波から得られたＩＦ(Intermediate Frequency）信号を復調し、トランスポートストリームとしてデマルチプレクサ４に出力する。
【００１４】
ＩＦデモジュレータ２はまた、復調時に検出される伝送誤りを取得するとともに、取得した伝送誤りを、CPU８に出力する。ＩＦデモジュレータ２はさらに、ＩＦ信号を復調した結果得られたトランスポートストリームから、その変調方式や符号化率等の伝送情報（以下、TMCC(Transmission Multiplexing Configuration Control)情報と称する)を取得し、CPU８に出力する。
【００１５】
デマルチプレクサ４には、ＩＦデモジュレータ２の出力の他、CATVシステム、ネットワークシステム等から送信されるトランスポートストリームも、伝送路３を介して供給される。
【００１６】
デマルチプレクサ４は、供給されたトランスポートストリームに対して、デマルチプレクス処理を施し、その結果分離された映像データを含むトランスポートストリームパケット（以下、TSパケットと略称する）を、MPEGビデオデコーダ５に出力する。
【００１７】
デマルチプレクサ４はまた、デマルチプレクス処理時に検出される映像データを含むTSパケットの伝送誤りを取得するとともに、取得した伝送誤りを、CPU８に出力する。
【００１８】
MPEGビデオデコーダ５は、デマルチプレクサ４から供給された映像データを含むTSパケットを復号して、輝度信号と色差信号を生成し、映像信号処理部６に出力する。MEPGビデオデコーダ５はまた、復号時に検出される伝送誤りを取得するとともに、取得した伝送誤りを、CPU８に出力する。
【００１９】
映像信号処理部６は、MEPGビデオデコーダ５から供給される輝度信号と色差信号から、RGB信号を生成し、映像表示部７に供給する。
【００２０】
映像表示部７は、ＣＲＴまたはＬＣＤからなり、映像信号処理部６からのRGB信号に対応する映像を表示する。
【００２１】
CPU８は、ユーザの操作に対応する信号を出力するユーザインタフェース１０からの入力に対応して各部を制御する。例えば、CPU８は、ＩＦデモジュレータ２から供給されるTMCC情報、並びにＩＦデモジュレータ２、デマルチプレクサ４、およびMPEGビデオデコーダ５から供給される伝送誤りに基づいて、映像信号処理パラメータを生成し、それに基づいて映像信号処理部６と映像表示部７を制御する。
【００２２】
RAM９には、CPU８が各種の処理を実行する上において必要とされるデータやプログラムが記憶されている。例えば、CPU８に供給される、ＩＦモジュレータ２、デマルチプレクサ４、またはMPEGビデオデコーダ５から供給されるTMCC情報および伝送誤りの組み合わせと映像信号処理パラメータの対応表が記憶されている。
【００２３】
CPU８には、バス１０１を介して、HDD１０２、ROM１０３、ドライブ１０４が接続されている。ドライブ１０４には、記録媒体である磁気ディスク１１１、光ディスク１１２、光磁気ディスク１１３、または半導体メモリ１１４が装着される。
【００２４】
次に、テレビジョン受像機１の動作を、図２のフローチャートを参照して説明する。
【００２５】
ステップＳ１において、ＩＦデモジュレータ２は、図示せぬアンテナにより受信されたデジタル放送波から得られたＩＦ信号を復調して、トランスポートストリームを生成し、デマルチプレクサ４に出力する。
【００２６】
ＩＦデモジュレータ２はまた、復調時に検出される伝送誤りを取得し、CPU８に供給する。さらに、ＩＦデモジュレータ２は、トランスポートストリームに含まれるTMCC情報を取得し、CPU８に供給する。
【００２７】
図３は、TMCC情報のデータ構成を示している。TMCC情報は、５ビットの”変更指示”、４０ビットの”伝送モード／スロット情報”、１４４ビットの”相対TS／スロット情報”、１２８ビットの”相対TS／TSID対応表”、５ビットの”送受信制御情報”、および６２ビットの”送受信制御情報”が格納されている。
【００２８】
図４は、TMCC情報の”伝送モード／スロット情報”のデータ構成を示している。”伝送モード／スロット情報”は、４個の番組１乃至番組４の”伝送モード”（４ビット）および”伝送モードへの割り当てスロット数”（６ビット）が格納されている。
【００２９】
図５は、”伝送モード／スロット情報”の”伝送モード”として設定される値の持つ意味を示している。”伝送モード”として設定される値は、変調方式、誤り訂正内符号化率、最小スロット単位、有効スロット、および無効スロットを示すことができる。
【００３０】
例えば、”伝送モード”としての値２（００１０）は、変調方式がQPSKで、誤り訂正内符号化率が１／２であり、また、最小スロット単位が２スロットで、有効スロットが１スロットで、無効スロットが１スロットであることを示す。また、値７（０１１１）は、変調方式がTC8PSKで、誤り訂正内符号化率が２／３であり、また、最小スロット単位が１スロットで、有効スロットが１スロットで、無効スロットが０スロットであることを示す。
【００３１】
次に、ステップＳ２において、デマルチプレクサ４は、供給されたトランスポートストリームに含まれるPSI(Program Specific Information)やSI(Service Information)から、目的の番組の映像データを保持してるTSパケットを分離して、MPEGビデオデコーダ５に出力する。PSIは、MPEGで規定されている番組（プログラム）の仕様情報であり、SIは、放送事業者が独自に使用する情報である。
【００３２】
デマルチプレクサ４はまた、デマルチプレクス処理時に検出される伝送誤りを取得し、CPU８に出力する。
【００３３】
ステップＳ３において、MPEGビデオデコーダ５は、映像データを含むTSパケットを、MPEG方式で復号して、輝度（Ｙ）、色差（Ｃr，Ｃb）信号を生成し、映像信号処理部６に出力する。
【００３４】
MPEGビデオデコーダ５はまた、復号時に検出される伝送誤りを取得し、CPU８に出力する。
【００３５】
ステップＳ４において、CPU８は、ＩＦデモジュレータ２からのTMCC情報、並びにＩＦデモジュレータ２、デマルチプレクサ４、およびMPEGビデオデコーダ５からの伝送誤り検出結果に基づいて、映像信号処理パラメータを設定する。そしてCPU８は、設定した映像信号処理パラメータに基づいて、映像信号処理部６および映像表示部７を制御する。
【００３６】
具体的には、CPU８は、RAM９に記憶されている、TMCC情報および伝送誤りの組み合わせと映像信号処理パラメータの対応表を参照し、供給されたTMCC情報および伝送誤りの組み合わせに対応する映像信号処理パラメータを検出する。
【００３７】
例えば、TMCC情報に格納されている”伝送モード／スロット情報”に、”伝送モード”として値７（０１１１）が設定され（図５）、かつ、伝送誤りが少ない場合、下記に示すような内容の映像信号処理パラメータが設定される。
シャープネスを低くする。
NR(Noise Reduction)を切る。
VM(Velocity Modulation)を切る。
エンハンス処理を強める。
走査構造をインターレースにし表示解像度を増やす。
【００３８】
すなわち、この場合、変調方式がTC8PCKであり、誤り訂正内符号符号化率が２／３であって（割り当てスロットの数が多い高階層サービスであって）、伝送誤りが少ないので、TSパケットの映像データは、高品質な映像であると認識され、オリジナルの画質で映像が表示されるように映像信号処理パラメータが設定される。
【００３９】
また、TMCC情報に格納されている”伝送モード／スロット情報”に、”伝送モード”として値２（００１０）が設定され（図５）、かつ、伝送誤りが多い場合、下記に示すような内容の映像信号処理パラメータが設定される。
シャープネスを低くする。
NRを強くかける。
エンハンス処理を切る。
走査構造をプログレッシブにして表示解像度を減らす。
【００４０】
すなわち、この場合、変調方式がQPSKであり、誤り訂正内符号符号化率が１／２であって（割り当てスロット数が少ない低階層サービスであって）、伝送誤りが多いので、TSパケットの映像データは、低品質な映像であると認識され、オリジナル画質の粗を隠すための映像信号処理パラメータが設定される。
【００４１】
次に、ステップＳ５において、映像信号処理部６は、CPU８による映像信号処理パラメータに基づく制御により、MPEGビデオデコーダ５から供給された輝度信号と色差信号を処理し、RGB信号を生成して、映像表示部７に出力する。
【００４２】
ステップＳ６において、映像表示部７は、CPU８による映像信号処理パラメータに基づく制御により、映像信号処理部６から供給されたRGB信号に対応する映像を表示する。その後、処理は終了する。
【００４３】
以上においては、映像信号処理パラメータに基づいて映像信号処理部６における信号処理および映像表示部７における表示処理が制御される場合を例として説明したが、映像信号処理６における信号処理のみが制御されるようにすることもできる。
【００４４】
本発明においては、ユーザの好みに応じてユーザがユーザインタフェース１０を操作することにより、映像信号処理パラメータの設定を変更することも可能である。設定が変更されると映像信号処理パラメータは、RAM９に記憶され、その後、ユーザによって同一の番組（シリーズの番組）が選択された場合、同一の映像信号処理パラメータに基づいて、映像信号処理６や映像表示部７における処理が制御され、映像が表示される。
【００４５】
さらに、一の画面に複数のウインドウで複数の画像が同時に表示される場合、それぞれのウインドウに表示されている画像ごとに表示（出力）を制御するようにしてもよい。
【００４６】
以上においては、本発明を、テレビジョン受像機に適用した場合について説明したが、本発明は、IRD(Integrated Receiver/Decoder)やパーソナルコンピュータなどのデジタルデータを処理するあらゆる装置に適用可能である。
【００４７】
なお、上述した一連の処理は、ハードウエアにより実行させることもできるが、ソフトウエアにより実行させることもできる。一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば、汎用のパーソナルコンピュータなどに、記録媒体からインストールされる。
【００４８】
この記録媒体は、図１に示すように、コンピュータとは別に、ユーザにプログラムを提供するために配布される、プログラムが記録されている磁気ディスク１１１（フロッピディスクを含む）、光ディスク１１２（CD-ROM (Compact Disk-Read Only Memory）、DVD (Digital Versatile Disk)を含む)、光磁気ディスク１１３(MD（Mini-Disk）を含む)、もしくは半導体メモリ１１４などよりなるパッケージメディアにより構成されるだけでなく、コンピュータに予め組み込まれた状態でユーザに提供される、プログラムが記録されているROM１０３やHDD１０２などで構成される。
【００４９】
なお、本明細書において、記録媒体に記録されるプログラムを記述するステップは、記載された順序に沿って時系列的に行われる処理はもちろん、必ずしも時系列的に処理されなくとも、並列的あるいは個別に実行される処理をも含むものである。
【００５０】
また、本明細書において、システムとは、複数の装置により構成される装置全体を表すものである。
【００５１】
【発明の効果】
本発明の映像処理装置および方法、並びに記録媒体のプログラムによれば、取得した映像データから、ユーザが選択したプログラムの映像データを抽出し、取得した映像データの変調方式および符号化率を、ＴＭＣＣ情報中の伝送モード／スロット情報から検出し、取得した映像データの伝送誤りを検出し、変調方式、符号化率および伝送誤りの組み合わせと信号処理パラメータとの対応表を記憶し、検出した変調方式および前記符号化率、並びに伝送誤りの組み合わせに対応する信号処理パラメータとしてのシャープネス、ノイズリダクション、速度変調、エンハンス処理、および走査構造のうちの少なくとも１つを、記憶されている対応表から読み出し、設定するようにしたので、簡単に、最適な画質で番組を視ることか可能となる。
【図面の簡単な説明】
【図１】本発明を適用したテレビジョン受像機１の構成例を示すブロック図である。
【図２】図１のテレビビジョン受像機１の動作を説明するフローチャートである。
【図３】  TMCC情報の構成を説明する図である。
【図４】伝送モード／スロット情報の構成を説明する図である。
【図５】伝送モードとして設定される値が持つ意味を説明する図である。
【符号の説明】
１  テレビジョン受像機，  ２  ＩＦデモジュレータ，  ３  伝送路，  ４  デマルチプレクサ，  ５  MPEGビデオデコーダ，  ６  映像信号処理部，  ７  映像表示部，  ８  CPU，  ９  RAM，  １０  ユーザインタフェース
【図１】
0004569791.tif 000002
【図２】
0004569791.tif 000003
【図３】
0004569791.tif 000004
【図４】
0004569791.tif 000005
【図５】
0004569791.tif 000006